(57)【特許請求の範囲】
【請求項１】
バッテリ側のコネクタと電気的に接続可能に構成されている充電用コネクタと、
前記バッテリ側のコネクタが前記充電用コネクタに接続されている状態で前記バッテリの充電を行なう充電手段と、
複数種類の音パターンのデータを記憶できる音パターン記憶手段と、
前記音パターン記憶手段に記憶されている複数種類の音パターンのデータから所定の音パターンのデータを選択する音パターン選択手段と、
前記充電手段による前記バッテリの充電が完了したときに、前記音パターン選択手段により選択された所定の音パターンのデータに基づいて音を発生させる発音手段とを有する充電装置であって、
前記充電手段は、バッテリ側のコネクタが充電用コネクタに所定時間以上接続されている状態で前記バッテリの充電を開始する構成であり、
音パターン選択手段は、前記バッテリの充電が開始される前に、前記充電用コネクタに対する前記バッテリ側のコネクタの接続が解除され、さらに再接続が行なわれたときに、既に選択された音パターンのデータを音パターン記憶手段に記憶されている次の音パターンのデータに切替えることを特徴とする充電装置。
【請求項２】
請求項１に記載された充電装置であって、
発音手段は、音パターン選択手段が音パターンのデータを選択する際に、選択された音パターンのデータに基づく音を充電完了時よりも小さい音で発生させることを特徴とすることを特徴とする充電装置。
【請求項３】
請求項１又は請求項２のいずれかに記載された充電装置であって、
発音手段は、音の発生素子に印加される電圧を変化させることで、音の大きさを変化させられるように構成されていることを特徴とする充電装置。
【請求項４】
請求項１から請求項３のいずれかに記載された充電装置であって、
音パターン記憶手段は、パソコンによってメロディのデータを書き込み可能なように構成されていることを特徴とする充電装置。
【請求項５】
請求項１から請求項４のいずれかに記載された充電装置であって、
充電手段によるバッテリの充電が完了したときに、発光素子を発光させる発光手段を備えていることを特徴とする充電装置。
【請求項６】
請求項１から請求項５のいずれかに記載された充電装置であって、
充電手段によるバッテリの充電が完了したときに、通信端末器で受信可能な充電完了信号を発信する発信手段を備えていることを特徴とする充電装置。
【発明の詳細な説明】
【技術分野】
【０００１】
本発明は、電動工具のバッテリを充電するための充電装置に関する。
【背景技術】
【０００２】
電動工具に関する上記した充電装置としては、例えば、特許文献１に示すものが知られている。
特許文献１に係る充電装置は、音声発生器を備えており、バッテリの充電が完了したときに、音声を発するように構成されている。このため、使用者が充電装置から離れて作業をしているときでも、音声によりバッテリの充電完了を認識できるようになる。
【０００３】
【特許文献１】特開平９−１７２７４２号公報
【発明の開示】
【発明が解決しようとする課題】
【０００４】
しかし、現場に、同種類、あるいは類似する種類の充電装置が複数台ある場合、単に音声を発生させるだけでは、どの充電装置でバッテリの充電が完了したのか認識できなくなることがある。
【０００５】
本発明は、上記問題点を解決するためになされたものであり、本発明が解決しようとする課題は、現場で同種類、あるいは類似する種類の充電装置が複数台使用されているときでも、離れた位置で特定の充電装置におけるバッテリの充電完了を認識できるようにすることである。
【課題を解決するための手段】
【０００６】
上記した課題は、各請求項の発明によって解決される。
請求項１の発明は、バッテリ側のコネクタと電気的に接続可能に構成されている充電用コネクタと、前記バッテリ側のコネクタが前記充電用コネクタに接続されている状態で前記バッテリの充電を行なう充電手段と、複数種類の音パターンのデータを記憶できる音パターン記憶手段と、前記音パターン記憶手段に記憶されている複数種類の音パターンのデータから所定の音パターンのデータを選択する音パターン選択手段と、前記充電手段による前記バッテリの充電が完了したときに、前記音パターン選択手段により選択された所定の音パターンのデータに基づいて音を発生させる発音手段とを有する充電装置であって、  前記充電手段は、バッテリ側のコネクタが充電用コネクタに所定時間以上接続されている状態で前記バッテリの充電を開始する構成であり、音パターン選択手段は、前記バッテリの充電が開始される前に、前記充電用コネクタに対する前記バッテリ側のコネクタの接続が解除され、さらに再接続が行なわれたときに、既に選択された音パターンのデータを音パターン記憶手段に記憶されている次の音パターンのデータに切替えることを特徴とする。
【０００７】
本発明によると、音パターン選択手段により複数種類の音パターンのデータ中から所定の音パターンのデータを選択することができる。このため、現場で同種類、あるいは類似する種類の充電装置が複数台使用されているときでも、他の充電装置の充電完了音と異なる音パターンを選択することが可能になる。したがって、バッテリの充電完了時に、他の充電装置の充電完了音と異なる音パターンのデータに基づき発音手段で音を発生させることにより、使用者は特定の充電装置におけるバッテリの充電完了を明確に知ることができる。
また、バッテリの充電が開始される前に、充電用コネクタに対するバッテリ側のコネクタの接続解除、及び再接続を繰り返すことで、音パターン記憶手段に記憶されている音パターンのデータを順番に選択することが可能になる。したがって、音パターンの切替え用スイッチ等を設ける必要がなく、コスト低減を図ることができる。
ここで、「音パターン」とは、メロディ、音声、ブザー音、サイレン音等、あらゆる種類の音を含むものとする。
【０００９】
請求項２の発明によると、発音手段は、音パターン選択手段が音パターンのデータを選択する際に、選択された音パターンのデータに基づく音を充電完了時よりも小さい音で発生させることを特徴とする。
このため、音を聞きながら音パターンを選択できるようになり、正確に音パターンの選択が行なえる。
請求項３の発明によると、発音手段は、音の発生素子に印加される電圧を変化させることで、音の大きさを変化させられるように構成されていることを特徴とする。
【００１０】
請求項４の発明によると、音パターン記憶手段は、パソコンによってメロディのデータを書き込み可能なように構成されていることを特徴とする。
このため、例えば、パソコンによりインターネットを利用して曲をダウンロードすることにより、使用者の好みに応じた音パターンを得ることができ、他の充電装置と明確に区別できるようになる。
請求項５の発明によると、充電手段によるバッテリの充電が完了したときに、発光素子を発光させる発光手段を備えていることを特徴とする。
このため、バッテリの充電完了がさらに認識し易くなる。
請求項６の発明によると、充電手段によるバッテリの充電が完了したときに、通信端末器で受信可能な充電完了信号を発信する発信手段を備えていることを特徴とする。
このため、現場から遠く離れた場所でも、例えば、携帯電話等で充電完了を知ることができる。
【発明の効果】
【００１１】
本発明によると、現場で同種類、あるいは類似する種類の充電装置が複数台使用されているときでも、離れた位置で特定の充電装置におけるバッテリの充電完了が認識できるようになる。
【発明を実施するための最良の形態】
【００１２】
（実施形態１）
以下、図１から図６に基づいて、本発明の実施形態１に係る充電装置の説明を行なう。本実施形態に係る充電装置は、電動工具に使用されるバッテリの充電装置である。ここで、図１は実施形態１に係る充電装置の回路構成を表すブロック図等であり、図２は充電装置を構成する充電器、及び電池パックの斜視図である。図３は電池パックとパソコンとの関係を表す斜視図、図４は充電装置の動作を表すフローチャート、図５は発光手段を表す模式図である。また、図６は充電装置の回路構成の変更例を表すブロック図等である。
【００１３】
＜充電装置１０及び電池パック２０について＞
充電装置１０は、図１（Ａ）に示すように、電動工具（図示省略）のバッテリ２２を収納する電池パック２０と、前記バッテリ２２の充電を行う充電器３０とから構成されている。
電池パック２０は角形をした密閉容器であり、図３に示すように、上面に連結部２５が形成されている。そして、その連結部２５の所定位置にバッテリ用のコネクタＣＮ１が設けられている。コネクタＣＮ１には、図１（Ａ）に示すように、バッテリ２２用の＋、−端子と、後記するデータ記憶部２７の端末である通信端子Ｔとが設けられている。
電池パック２０の連結部２５は、電動工具の電池パック接続部（図示省略）に連結される部分であり、その連結部２５と電池パック接続部とが連結されることで、電動工具と電池パック２０が一体化される。そして、この状態で、電池パック２０のコネクタＣＮ１（＋、−端子）と前記電動工具の電気回路のコネクタ（図示省略）とが電気的に接続される。これにより、電動工具をバッテリ２２の電力で駆動できるようになる。
【００１４】
電池パック２０内には、図１（Ａ）に示すように、データ記憶部２７が設けられている。データ記憶部２７は複数種類の音パターンのデータ、例えば、メロディやブザー音のデータを記憶する部分であり、データの書き換えも可能なように構成されている。
さらに、電池パック２０のコネクタＣＮ１は、図３に示すように、例えば、ＵＳＢコネクタ等を利用してパソコン４０に接続されるデータ変換アダプタ４３が接続可能になっている。データ変換アダプタ４３は、パソコン４０と電池パック２０のデータ記憶部２７とを接続するアダプタであり、パソコン４０のデータを電池パック２０のデータ記憶部２７に伝送できるように構成されている。これにより、インターネットを利用してパソコン４０でダウンロードしたメロディのデータを電池パック２０のデータ記憶部２７に書き込むことが可能になる。
【００１５】
＜充電器３０について＞
充電器３０は、図２に示すように、箱形のハウジング３０ｘを備えており、そのハウジング３０ｘの上面右側に電池パック２０との連結部３５が形成されている。そして、その連結部３５の所定位置に充電用コネクタＣＮ２が設けられている。充電用コネクタＣＮ２には、図１（Ａ）に示すように、電池パック２０のコネクタＣＮ１と同様に、バッテリ用の＋、−端子と、通信端子Ｔとが設けられている。
充電器３０の連結部３５は、電池パック２０の連結部２５が後方から連結されるように構成されている。即ち、充電器３０の連結部３５に対して電池パック２０の連結部２５が、図２に示すように、後方から前方にスライドさせられることにより、充電器３０の連結部３５と電池パック２０の連結部２５とが嵌合し、両者２５，３５が連結される。そして、充電器３０の連結部３５と電池パック２０の連結部２５とが連結されることで、電池パック２０のバッテリ用のコネクタＣＮ１と充電器３０の充電用コネクタＣＮ２とが電気的に接続される。
【００１６】
充電器３０は、図１（Ａ）に示すように、電源コード３０ｒを備えており、その電源コード３０ｒのプラグが家庭用のＡＣ（交流）電源のコンセント（図示省略）に差し込み可能に構成されている。電源コード３０ｒは充電器３０の直流電源装置３１の入力端子３１ａ，３１ｂに接続されている。
直流電源装置３１は、交流の電源を二種類の直流電源、即ち、バッテリ充電用の第１直流電源（Ｖｐボルト電源）と、制御電源用の第２直流電源（Ｖｃボルト電源）とに変換するための装置である。
第１直流電源（Ｖｐボルト電源）は、直流電源装置３１の第１出力端子３１ｐ，Ｅから出力され、ＣＰＵ３４（後記する）で制御されるスイッチ３６を介して充電用コネクタＣＮ２の（＋、−端子）に接続されている。なお、符号Ｅはアース端子を表している。このため、充電器３０の充電用コネクタＣＮ２と電池パック２０のバッテリ用のコネクタＣＮ１とが接続され、さらに前記スイッチ３６がオンした状態で、直流電源装置３１の第１直流電源と電池パック２０のバッテリ２２とが電気的に接続されて充電が行なわれる。
【００１７】
直流電源装置３１の第２直流電源（Ｖｃボルト電源）は、第２出力端子３１ｃ，Ｅを介して制御用電源装置３３に接続されている。制御電源装置３３は、ＣＰＵ３４、及び音声発生素子３７等の定電圧電源として使用される。
ＣＰＵ３４は、図示されていないメモリに格納されているプログラムに基づいてバッテリ２２の充電制御を行なう部分である。このため、ＣＰＵ３４は、バッテリ２２の電圧や温度等によりそのバッテリ２２の充電状態を監視できるように構成されている。そして、充電完了と判定したときに前記スイッチ３６をオフにしてバッテリ２２の充電を停止する。
ＣＰＵ３４は、充電器３０の充電用コネクタＣＮ２と電池パック２０のバッテリ用のコネクタＣＮ１とが接続された状態で、通信端子Ｔを介して電池パック２０のデータ記憶部２７に接続される。ＣＰＵ３４のメモリには、電池パック２０のデータ記憶部２７に保存されているメロディ等のデータとＣＰＵ３４内に予め記憶されているメロディ等のデータを選択するプログラムが格納されている。そして、選択したメロディ等のデータに基づいて、ＣＰＵ３４は、バッテリ２２の充電完了時に第１駆動部３８ａを動作させ、音声発生素子３７からメロディ等の音声を発生させる。
【００１８】
音声発生素子３７は、例えば、圧電ブザーや圧電スピーカ等であり、図１（Ａ）（Ｂ）に示すように、第１駆動部３８ａ、あるいは第２駆動部３８ｂによって動作させられる。第１駆動部３８ａ、第２駆動部３８ｂは、トランジスタ等のスイッチング素子であり、ＣＰＵ３４からの信号Ｓで動作する。第１駆動部３８ａの電源端子は、図１（Ｂ）に示すように、充電用コネクタＣＮ２の（＋端子）に接続されており、バッテリ２２の電圧Ｖｐが加わるようになっている。第２駆動部３８ｂの電源端子は、制御用電源装置３３に接続されており、電圧Ｖｃが加わるようになっている。ここで、Ｖｃ＜Ｖｐに設定されているため、第１駆動部３８ａが動作した状態では音声発生素子３７に高電圧（Ｖｐ）が印加され、音声発生素子３７の発生音は大きくなる。また、第２駆動部３８ｂが動作した状態では音声発生素子３７に低電圧（Ｖｃ）が印加され、音声発生素子３７の発生音は小さくなる。
また、図５に示すように、ＣＰＵ３４が取付けられる電気回路基板には、ＬＥＤ３０ｅが装着されており、そのＬＥＤ３０ｅが充電完了時にＣＰＵ３４の信号で動作させられる。なお、ＬＥＤ３０ｅを覆う充電器３０のハウジング３０ｘは予め決められた範囲が透明に形成されている。このため、充電完了時にＬＥＤ３０ｅが発光すると、その光が充電器３０のケース３０ｘの外に照射される。
【００１９】
＜本実施形態に係る充電装置１０の動作について＞
次に、図４に示すフローチャートに基づいて本実施形態に係る充電装置１０の動作について説明する。ここで、図４のフローチャートに基づく処理は、ＣＰＵ３４のメモリに格納されているプログラムに従って実行される。
先ず、充電器３０の連結部３５に対して電池パック２０の連結部２５が連結されていない状態、即ち、充電器３０の充電用コネクタＣＮ２と電池パック２０のコネクタＣＮ１とが接続されていない状態では、スイッチ３６は、図１（Ａ）に示すように、ＣＰＵ３４によってオフ状態に保持されている（バッテリ挿入待（ステップＳ１０１））。ここで、バッテリ挿入待であるか否の判定は、例えば、ＣＰＵ３４で充電用コネクタＣＮ２の（＋端子）の電圧を監視することにより行なう。即ち、充電用コネクタＣＮ２の（＋端子）の電圧が零であれば、充電用コネクタＣＮ２の（＋端子）がバッテリ２２に接続されておらず、バッテリ挿入待と判定される。なお、充電用コネクタＣＮ２の（＋端子）の電圧を監視する代わりに、ＣＰＵ３４と電池パック２０のデータ記憶部２７とが接続されていないことを検知して、バッテリ挿入待と判定することも可能である。
【００２０】
充電器３０の連結部３５に対して電池パック２０の連結部２５が連結されて、充電器３０の充電用コネクタＣＮ２と電池パック２０のコネクタＣＮ１とが接続されると、例えば、ＣＰＵ３４が充電用コネクタＣＮ２の（＋端子）を介してバッテリ２２の電圧が検知される。これにより、バッテリ挿入と判定される（ステップＳ１０２）。そして、電池パック２０のコネクタＣＮ１と充電用コネクタＣＮ２とが接続されると（バッテリ挿入）、ＣＰＵ３４が電池パック２０のデータ記憶部２７に対してメロディのデータを要求する（ステップＳ１０３）。電池パック２０のデータ記憶部２７にメロディのデータが記憶されている場合には（ステップＳ１０４  ＹＥＳ）、それらのメロディのデータがＣＰＵ３４に格納される（ステップＳ１０５）。次に、メロディのデータ、あるいはメロディ以外音（ブザー音）のデータにおける最初の曲番号がＣＰＵ３４内のデータ記憶部からＣＰＵ３４の作業エリアにコピーされる（ステップＳ１０６）。
そして、作業エリアにコピーされた最初の曲番号がブザー音に対応する場合には（ステップＳ１０７  ＹＥＳ）、ＣＰＵ３４が第２駆動部３８ｂに対してブザー音信号を出力する。これにより、音声発生素子３７は、「ピー」という音を発生させる（ステップＳ１０８）。なお、音声発生素子３７には、第２駆動部３８ｂにより制御用の電圧Ｖｃが加えられるため、音声発生素子３７の発生音は小さくなる。
また、作業エリアにコピーされた最初の曲番号がブザー音でない場合、即ち、メロディ音である場合には（ステップＳ１０７  ＮＯ）、ＣＰＵ３４が第２駆動部３８ｂに対してその曲番号に対応するメロディ信号を出力する。これにより、音声発生素子３７はメロディ信号に対応するメロディ音を発生させる（ステップＳ１０９）。
【００２１】
このとき、ブザー音、あるいはメロディ音を別のメロディ音に変更したい場合には、音声発生素子３７がブザー音、あるいはメロディ音を発生させてから３秒以内に、充電器３０の充電用コネクタＣＮ２と電池パック２０のコネクタＣＮ１との接続を解除する。これにより、ステップＳ１１０の判定（バッテリ有り？）はＮＯとなる。さらに、充電器３０の充電用コネクタＣＮ２と電池パック２０のコネクタＣＮ１との接続が解除されてから３秒以内（ステップＳ１２０  ＮＯ）に再び両コネクタＣＮ１，ＣＮ２を接続させる（ステップＳ１２３  ＹＥＳ）。これにより、ＣＰＵ３４内のデータ記憶部に記憶されている次の曲番号が作業エリアにコピーされる。そして、処理は、ステップ１０７に戻り、ここで次の曲番号がブザー音か否か判定される。そして、その曲番号がブザー音に対応する場合には（ステップＳ１０７  ＹＥＳ）、音声発生素子３７は「ピー」という音を発生させる（ステップＳ１０８）。また、その曲番号がブザー音でない場合には（ステップＳ１０７  ＮＯ）、音声発生素子３７はメロディ信号に対応するメロディ音を発生させる（ステップＳ１０９）。
【００２２】
さらに、メロディ音を変更したい場合には、上記したステップＳ１１０、ステップＳ１２０、ステップＳ１２３、ステップ１２４、及びステップＳ１０７〜１１０の処理を繰り返り実行する。
ここで、充電器３０の充電用コネクタＣＮ２と電池パック２０のコネクタＣＮ１との接続解除を３秒以上継続すると（ステップＳ１２０  ＹＥＳ）、バッテリの抜けが確定し（ステップＳ１２１）、処理はステップＳ１０１のバッテリ挿入待状態に戻される。
前記メロディを変更する必要がない場合には、ステップＳ１０９で鳴らされたメロディ音をそのまま鳴らし続ける。そして、メロディ音が鳴ってから３秒が経過すると（ステップＳ１１１  ＹＥＳ）、そのメロディ音の曲番号が最初の曲番号に書き換えられて（ステップＳ１１２）、メロディ音が停止する。この段階で、メロディ等の選択が終了する。
即ち、ＣＰＵ３４、及びステップＳ１１０、ステップＳ１２０、ステップＳ１２３、ステップ１２４、及びステップＳ１０７〜１１０の処理が本発明の音パターン選択手段に相当し、充電器３０のＣＰＵ３４内のデータ記憶部が本発明の音パターン記憶手段に相当する。
【００２３】
このようにして、メロディ等の選択が終了すると、ＣＰＵ３４の信号でスイッチ３６がオンし、直流電源装置３１の第１直流電源の電圧が電池パック２０のバッテリ２２に印加されるようになる。即ち、バッテリ２２の充電が開始される（ステップＳ１１３）。そして、時間が経過し、バッテリ２２の充電が完了すると、前記スイッチ３６がオフする（ステップＳ１１４）。さらに、ＣＰＵ３４が第１駆動部３８ａに対して選択したメロディの信号を出力する。これにより、音声発生素子３７は、選択したメロディ音を発生させる（ステップＳ１１５）。ここで、音声発生素子３７には、第１駆動部３８ａによってバッテリ２２の電圧Ｖｐが加えられるため、前記音声発生素子３７の発生音は大きくなる。また、ＣＰＵ３４は、メロディ等の発生と同時にＬＥＤ３０ｅを発光させる。
即ち、直流電源装置３１の第１直流電源、ＣＰＵ３４、及びスイッチ３６が本発明の充電手段に相当し、第１駆動部３８ａ、音声発生素子３７が本発明の発音手段に相当する。また、ＣＰＵ３４、及びＬＥＤ３０ｅが本発明の発光手段に相当する。
【００２４】
＜本発明に係る充電装置１０の長所について＞
本発明に係る充電装置１０によると、ＣＰＵ３４の音パターン選択機能によって複数種類の音パターン、例えば、ブザー音やメロディ等のデータ中から所定のメロディ等のデータを選択することができる。このため、現場で同種類、あるいは類似する種類の充電装置が複数台使用されているときでも、他の充電装置の充電完了音と異なるメロディ等を選択することが可能になる。したがって、バッテリ２２の充電完了時に、音声発生素子３７により他の充電装置の充電完了音と異なるメロディ音を発生させることにより、使用者は特定の充電装置１０におけるバッテリ２２の充電完了を正確に知ることができる。
また、バッテリ２２の充電が開始される前に、充電用コネクタＣＮ２に対するバッテリ側のコネクタＣＮ１の接続解除、及び再接続を繰り返すことで、電池パック２０のデータ記憶部２７に記憶されているメロディ等のデータ、及びＣＰＵ３４内に予め記憶されているメロディ等のデータを順番に選択することが可能になる。したがって、メロディ等の切替えスイッチ等を設ける必要がなくなり、コスト低減を図ることができる。
【００２５】
また、音声発生素子３７はメロディ等のデータが選択される際、選択されたメロディ等のデータに基づく音を充電完了時よりも小さい音で発生させる。
このため、音を聞きながらメロディ等を選択できるようになり、正確にメロディ等の選択が行なえる。
また、電池パック２０のデータ記憶部２７は、パソコン４０によってメロディのデータを書き込み可能なように構成されている。このため、例えば、パソコン４０によりインターネットを利用して曲をダウンロードすることにより、使用者の好みに応じたメロディを得ることができ、他の充電装置と明確に区別できるようになる。
また、バッテリ２２の充電が完了したときに、発光素子（ＬＥＤ）３０ｅを発光させる発光手段を備えているため、バッテリ２２の充電完了がさらに認識し易くなる。
【００２６】
＜変更例＞
ここで、本発明は上記実施形態に限定されるものではなく、本発明の要旨を逸脱しない範囲における変更が可能である。例えば、本実施形態では、図１（Ａ）に示すように、第１駆動部３８ａと第２駆動部３８ｂとを使用して、メロディの選択時と充電完了時とで音声発生素子３７に印加される電圧を変化させる例を示した。しかし、図６（Ａ）（Ｂ）に示す構成により、メロディの選択時と充電完了時とで、音声発生素子３７に印加される電圧を変化させることも可能である。即ち、上記構成では、図６（Ｂ）に示すように、バッテリ２２（Ｖｐ）に接続される第１整流部３９ａと、制御用電源Ｖｃよりも高い電圧（Ｖｈ）の直流電源に接続される第２整流部３９ｂとを備えており、第１整流部３９ａ、及び第２整流部３９ｂの出力側が音声発生素子３７に接続されている。さらに、音声発生素子３７とアースＥとの間には駆動部３８が直列に接続されている。これにより、電圧Ｖｐと電圧Ｖｈとの高い方の電圧が加わるようにし、メロディの選択時、及び充電完了時の発生音を極力大きくすることが可能になる。
また、本実施形態では、充電完了時にメロディ音を発生させ、同時にＬＥＤ３０ｅを発光させる例を示したが、例えば、携帯電話で受信可能な充電完了信号を発信する発信手段を備えることも可能である。これにより、現場から遠く離れた場所でも、充電完了を知ることができる。
また、本実施形態では、充電用コネクタＣＮ２に対するバッテリ側のコネクタＣＮ１の接続解除、及び再接続を繰り返すことで、メロディ等の選択を行なう例を示したが、スイッチ等によりメロディ等の選択を行なうことも可能である。
【図面の簡単な説明】
【００２７】
【図１】実施形態１に係る充電装置の回路構成を表すブロック図（Ａ図）、及び発音手段の回路図（Ｂ図）である。
【図２】充電装置を構成する充電器、及び電池パックの斜視図である。
【図３】電池パックとパソコンとの関係を表す斜視図である。
【図４】本実施形態に係る充電装置の動作を表すフローチャートである。
【図５】発光手段を表す模式図である。
【図６】充電装置の回路構成の変更例を表すブロック図（Ａ図）、及び発音手段の回路図（Ｂ図）である。
【符号の説明】
【００２８】
２０      電池パック
２２      バッテリ
２７      データ記憶部（音パターン記憶手段）
ＣＮ１    バッテリ側のコネクタ
ＣＮ２    充電コネクタ
３０      充電器
３０ｅ    ＬＥＤ（発光手段）
３１      直流電源装置（充電手段）
３４      ＣＰＵ（充電手段、音パターン選択手段）
３６      スイッチ（充電手段）
３７      音声発生素子（発音手段）
３８ａ    第１駆動部（発音手段）
３８ｂ    第２駆動部（発音手段）
４０      パソコン
４３      データ変換アダプタ
【図１】
0004566943.tif 000002
【図２】
0004566943.tif 000003
【図３】
0004566943.tif 000004
【図４】
0004566943.tif 000005
【図５】
0004566943.tif 000006
【図６】
0004566943.tif 000007